(57)【特許請求の範囲】
【請求項１】
遊技台（１００）のスピーカ取付け部（２５）と、そこに配置されるコーン型スピーカ（２１）と、該スピーカ（２１）に背面側から被さって前記取付け部（２５）に固定される着脱カバー（１９）とによる遊技機用スピーカの取付け構造であって、
前記スピーカ（２１）は、前記取付け部（２５）および前記着脱カバー（１９）のいずれとも非接合状態であるとともに、コーン（３１）の外周部（３１ｓ）を保持してその展開状態を維持するリングフレーム（２７）と前記着脱カバー（１９）とにまたがって配置される固定補助部材（２３）により、前記取付け部（２５）との密接状態が維持され、
前記固定補助部材（２３）は、前記リングフレーム（２７）に沿って配置され、前記リングフレーム（２７）から前記スピーカ（２１）の後方側に向かって延びて前記着脱カバー（１９）の内面に当接する環状部材であり、かつ、前記着脱カバー（１９）のスピーカ収容口端（１９ｐ）と、スピーカ前面のコーン保持部（５１）との高さが一致して、前記スピーカ（２１）が前記取付け部（２５）に密接されるように高さ調整され、
前記着脱カバー（１９）には、その内側に前記スピーカ（２１）が配置された際、前記固定補助部材（２３）の外周縁（２３ｐ）よりも前記スピーカ（２１）の中心寄りに位置する通孔（３９）が形成されており、
前記着脱カバー（１９）は、該着脱カバー（１９）の係合部（３７）と前記取付け部（２５）に形成された係合部（４７）との嵌り合いによって前記取付け部（２５）に固定され、
前記着脱カバー（１９）の内側は、段付凹状に形成されてなり、前記スピーカ（２１）を該着脱カバー（１９）内に収容させた際、前記固定補助部材（２３）は、前記リングフレーム（２７）と段付部（４９）とに挟まれることを特徴とする遊技機用スピーカの取付け構造。
【発明の詳細な説明】
【０００１】
【発明の属する技術分野】
本発明は、パチンコ機やスロットマシンのスピーカの取付け構造に関する。
【０００２】
【従来の技術】
従来から、パチンコ機やスロットマシンには、コーン型のスピーカが取付けられている。たとえば、特開２０００−３０８７４４号公報には、コーン型のスピーカを用いるとともにバスレフ型のエンクロージャを形成して音質を向上させる技術が開示されている。また、特許第２５９３８０４号公報には、保持リングにスピーカを吸着させることによりスピーカを収容部にしっかりと固定する技術が開示されている。
【０００３】
一般に、パチンコ機やスロットマシンの裏側は、配線や部品が込み入っているので、できれば簡単に部品の着脱を行えることが好ましい。着脱の簡便性を向上させた取付け構造としては、たとえば以下のようなものがある。すなわち、遊技台の枠に形成されたスピーカ取付け部にコーン型スピーカを押し当て、その状態でスピーカのうしろから着脱カバーで固定する構造である。着脱カバーは、取付け部にしっかりと固定できるようになっており、コーン型スピーカにすっぽり被さる形となる。たったこれだけで、スピーカの脱落を阻止することができる。スピーカ自体は、着脱カバーおよび取付け部のいずれに対しても、ネジなどで締結されることはないので、遊技台へのスピーカの取付けは非常に簡単である。
【０００４】
【発明が解決しようとする課題】
ところで従来、パチンコ機やスロットマシンのスピーカといえば、音が出ればそれで合格、という程度にしか考えられていなかった。しかし、音量の増大、音質の向上を図ることが遊技機の完成度を高める手段の１つとして考えられるようになってきている。高性能なスピーカを採用することは近道であることに間違いないが、それにともない部品コストも間違いなく嵩む。また、スピーカの径を大きくするには、遊技台の枠（筐体）自体の再設計も必要となり、好ましくない。
【０００５】
本発明の課題は、着脱簡便性を高レベルに維持しつつ、安価に音量の増大、音質の向上を図ることのできる遊技機用スピーカの取付け構造を提供することにある。
【０００６】
【課題を解決するための手段及び作用・効果】
上記課題を解決するために、本発明の遊技機用スピーカの取付け構造は、
遊技台のスピーカ取付け部と、そこに配置されるコーン型スピーカと、該スピーカに背面側から被さって取付け部に固定される着脱カバーとによる遊技機用スピーカの取付け構造であって、
スピーカは、取付け部および着脱カバーのいずれとも非接合状態であるとともに、コーンの外周部を保持してその展開状態を維持するリングフレームと着脱カバーとにまたがって配置される固定補助部材により、取付け部との密接状態が維持され、
固定補助部材は、リングフレームに沿って配置され、リングフレームからスピーカの後方側に向かって延びて着脱カバーの内面に当接する環状部材であり、かつ、着脱カバーのスピーカ収容口端と、スピーカ前面のコーン保持部との高さが一致して、スピーカが取付け部に密接されるように高さ調整され、
着脱カバーには、その内側にスピーカが配置された際、固定補助部材の外周縁よりもスピーカの中心寄りに位置する通孔が形成されており、
着脱カバーは、該着脱カバーの係合部と取付け部に形成された係合部との嵌り合いによって取付け部に固定され、
着脱カバーの内側は、段付凹状に形成されてなり、スピーカを該着脱カバー内に収容させた際、固定補助部材は、リングフレームと段付部とに挟まれることを特徴とする。
【０００７】
スピーカの背面側に着脱カバーを被せて、スピーカを取付け部に固定した構造は、スピーカが取付け部および着脱カバーのいずれとも非接合状態であるが故に、取付け部にぴったりと接しにくい。本発明者はその点に着目し、上記本発明を完成させるに至った。すなわち、リングフレームと着脱カバーとにまたがる固定補助部材を設けたことにより、スピーカと取付け部との密接状態を向上させている。これにより、音声出力時、着脱カバーの内側においてフレームやヨークといった部分が振動することが抑制される。コーンのみを効率良く振動させることは音量の増大を意味し、音質の向上にも寄与する。
【０００８】
【発明の実施の形態】
以下、添付の図面を参照しつつ本発明の一実施形態について説明する。まず図１は、本発明が適用されるパチンコ機１００（遊技台）の正面模式図である。パチンコ機１００は、方形枠状の基体１を有する。基体１の内側には、遊技盤や部品が取付けられた枠体が配置される。パチンコ機１００の正面には、たとえばガラス扉３、上皿７、発射ハンドル９、下皿１５、灰皿１３などの部品が取付けられている。上皿７は、ガラス扉３と同様に台の手前に開く上皿扉５に固定されている。上皿扉５の裏側には、上皿７に準備された遊技球を発射装置（図示せず）に１個ずつ順番に導くカセットが取付けられている。また、上皿扉５には、その裏側に配置されたスピーカから出力される音声を、パチンコ機１００の外部に導く音声出力孔１１が複数形成されている。
【０００９】
図２は、図１に示すパチンコ機１００の部分断面模式図であり、図１中のＡ−Ａ’に沿った遊技盤面に垂直な断面を表している。図２に示すように、上皿扉５の後ろ側には枠１７が配置されており、その枠１７のスピーカ取付け部２５に、着脱カバー１９に保持される形でスピーカ２１が取付けられている。図２より理解できるように、本実施形態では平面バッフル型の取付け構造が採用されている。スピーカ２１は、上皿扉５に形成された音声出力孔１１と対向する位置に取付けられている。もちろん、上皿扉５にスピーカ２１を直接取付けることもできる。なお、パチンコ機１００についていえば、遊技者が対峙する側が正面側、制御装置や補給装置が取付けられる側が後ろ側（または裏側）である。
【００１０】
図３は、図２におけるスピーカの取付け構造を説明する斜視図である。コーン型スピーカ２１は、マグネットやボイスコイルを収容した金属製のヨーク２９と、ヨーク２９と同材質であり該ヨーク２９から十字に延びるフレーム２８と、該フレーム２８と一体に形成されたリングフレーム２７とを含んで構成されている。リングフレーム２７は、スピーカ２１の最大径部をなしている。ヨーク２９の前面側に配置されるセンタードーム（図示せず）からは、半径方向外向きにコーン３１が展延している。リングフレーム２７は、コーン３１の外周部（ロールエッジ）を保持してコーン３１の展開状態を維持している。さらに詳しくは、スピーカ２１の前面側において、環状のガスケット５１とリングフレーム２７との間にスピーカ３１の外周部３１ｓが挟まれ、ガスケット５１がリングフレームに嵌着されることにより、コーン３１の展開状態が保持されている（図６参照）。ガスケット５１は、紙、樹脂などの材料で構成されている。フレーム２８には、ガイシ３５が取付けられており、このガイシ３５を介してリード線３４により電力が供給される。また、スピーカ２１の背面側において、環状の固定補助部材２３がリングフレーム２７の周縁に沿って配置されている。
【００１１】
スピーカ２１は、枠１７に設けられたスピーカ取付け部２５（以下、単に取付け部２５ともいう）に配置される。取付け部２５には、スピーカ２１の前面部をなすガスケット５１よりも径小の開口２５ｋが形成されており、その開口２５ｋの周縁の取付け面２５ｐにスピーカ２１を密接させることとなる。スピーカ２１から出力される音声は、開口２５ｋおよび前述した音声出力孔１１を通じてパチンコ機１００の外部に出力される。スピーカ２１自身は、取付け部２５への固定手段（ねじ、係合部など）を有さない。取付け部２５へのスピーカ２１の固定は、着脱カバー１９を用いて行われる。
【００１２】
着脱カバー１９は、スピーカ２１の全体に背面側から被さって該スピーカ２１を取付け部２５に密接させる役割を担う。着脱カバー１９のスピーカ収容口は、スピーカ２１のリングフレーム２７よりもやや径大（たとえば直径で０．１〜１ｍｍ程度）とされている。着脱カバー１９は、その内側にスピーカ２１を収容するとともに、該着脱カバー１９の係合部３７と取付け部２５に形成された係合部４７との嵌り合いによって取付け部２５に固定される。着脱カバー１９の係合部３７は、該着脱カバー１９の周面に形成された凸条部として構成されている。枠１７と一体に形成された係合部４７は、鉤状の形態を有する。これらの係合部３７，４７とを互いに嵌め合わせて着脱カバー１９を取付け部２５に固定する。このように、着脱カバー１９は、ネジやボルトなどの締結手段を必要とせず、ワンタッチで取付け部２５に着脱することが可能になっている。電力供給用のリード線３４は、固定補助部材２３に形成された切り欠き部３３よりスピーカ２１の外方に延出され、さらに着脱カバー１９に形成された切り欠き部４１から取り出されてパチンコ機１００の制御基板に接続される。なお、着脱カバー１９の切り欠き部４１は、該着脱カバー１９の周方向における複数箇所に形成されている。
【００１３】
また、着脱カバー１９の内側は段付凹状に形成されており、その段付部４９には、周方向の所定間隔をおいて通孔３９が多数形成されている。スピーカ２１のヨーク２９を収容する底面部４５には、その中央に通孔４６が１つ形成されている。スピーカ２１より出力される背面波は、それらの通孔３９，４６を通じて着脱カバー１９の外部に出力される。また、通孔３９，３９を仕切るように形成された１対の鍔部４３，４３により、着脱カバー１９を取付け部２５に固定する際に回しやすくなる。
【００１４】
図４に、取付け部２５にスピーカ２１が取付けられた状態での断面を示す。図６は、図４の部分拡大図である。図３にも示したように、スピーカ２１は、取付け部２５（詳しくは取付け部２５の形成された枠１７）および着脱カバー１９のいずれとも非接合状態におかれる。固定補助部材２３は、リングフレーム２７と着脱カバー１９とにまたがって配置されている。これにより、ガスケット５１が取付け面２５ｐにほぼ隙間なく接し、スピーカ２１と取付け部２５との密接状態が維持されている。固定補助部材２３が除去された場合、着脱カバー１９の内側においてスピーカ２１の可動隙間が生じ、音声出力時にコーン３１のみならず、スピーカ２１全体が振動する。そのことは、振動エネルギーのロスを意味するので好ましくない。
【００１５】
図４に示すように、固定補助部材２３は、リングフレーム２７からスピーカ２１の後方側に向かって延びて着脱カバー１９の内面に当接する。具体的には、スピーカ２１の背面側において、環状の固定補助部材２３によりコーン３１が取り囲まれる形となっている。固定補助部材２３は、リングフレーム２７よりも外側にはみ出さないように径が調整されている。すなわち、前面側からスピーカ２１を観察したとき、固定補助部材２３を視認することはできない。ヨーク２９は、固定補助部材２３よりもスピーカ２１の後方側に突出している。これに応じて着脱カバー１９の内側は、段付凹状に形成されている。すなわち、着脱カバー１９におけるスピーカの収容部は、段付部４９と底面部２９とからなる。そして、スピーカ２１を着脱カバー１９内に収容させた際、固定補助部材２３は、リングフレーム２７と段付部４９とに挟まれて位置する。これにより着脱カバー１９は、固定補助部材２３を介してスピーカ２１を後側から支えることとなる。また、固定補助部材２３がスペーサの役割を果たすことにより、ヨーク２９は底面部４５から離間している。これにより、ヨーク２９と対向する位置に形成された通孔４６からも、スピーカ２１の背面波が出力される。
【００１６】
また、図６に示すように、着脱カバー１９のスピーカ収容口端１９ｐと、スピーカ前面のガスケット５１（コーン保持部）との高さが一致して、スピーカ２１が取付け部２５に密接されるように、固定補助部材２３の高さ調整がなされている。つまり、スピーカ２１の前面と着脱カバー１９の開口面とが面一とされている。ここでいう高さは、スピーカの前後方向における位置で表される。枠１７における取付け面２５ｐに、スピーカ２１のガスケット５１が密接することにより、隙間から背面波が前面側に回りこむといった不具合も生じない。図５の模式図に示すように、クリアな音質を望むには、コーン３１から出力された前面波と背面波とが干渉して弱めあうことがないように、音の回り込みを防ぐ必要がある。スピーカ２１が取付け部２５（具体的には取付け面２５ｐ）に密接していない場合、背面波が前面側に回りこむ隙間が生じているかもしれないので好ましくない。
【００１７】
また、図３に示したように固定補助部材２３は、切り欠き部３３を除く周方向全域にわたって着脱カバー１９に接するように構成されている。そうすることにより、スピーカ２１は着脱カバー１９に一層確実に保持される。加えて、スピーカ２１の背面波が前面側に回りこむこともより強く防止される。本実施形態においては、コーン３１より出力された背面波は、固定補助部材２３により前面側への回りこみが阻まれるとともに、着脱カバー１９に形成された通孔３９を通じてパチンコ機１００内に効果的に導かれる。
【００１８】
図３〜図６に示すように、着脱カバー１９には、その内側にスピーカ２１が配置された際、固定補助部材２３の外周縁２３ｐよりもスピーカ２１の中心寄りに位置する通孔３９が複数形成されている。固定補助部材２３よりもスピーカ２１の中心寄りに形成された通孔３９を通じ、スピーカ２１の背面波が着脱カバー１９の外部に効率良く出力される。また、固定補助部材２３が障壁となるので、前面側への背面波の回りこみも、より強く阻止される。
【００１９】
本実施形態において、固定補助部材２３は、スピーカ２１とは別部材であり、リングフレーム２７に固着されて一体となっている。固定補助部材２３には、ポリエチレン、ポリプロピレン、アクリロニトリルブタジエンスチレン共重合体などの樹脂を使用するとよい。そして、スピーカ２１とは別体に用意したものを、接着剤でリングフレーム２７に固着させる。別形態として、固定補助部材２３を予めスピーカ２１の一部としてフレーム２８およびリングフレーム２７と一体に形成しておく方法もある。さらには、着脱カバー１９と一体に形成することも可能であろう。着脱カバー１９は、固定補助部材２３と同様の樹脂材料で構成される。また、固定補助部材２３が特に環状である必要もなく、たとえばリングフレーム２７の周縁に沿って断続的に設けることも可能である。
【００２０】
なお、本明細書の特許請求の範囲において各要件に付与した符号は、添付の図面の対応部分に付された符号を援用して用いたものであるが、あくまでも発明の理解を容易にするために付与したものであり、特許請求の範囲における各構成要件の概念をなんら限定するものではない。
【図面の簡単な説明】
【図１】パチンコ機の正面模式図。
【図２】パチンコ機の部分断面模式図。
【図３】スピーカの取付け構造を説明する斜視図。
【図４】スピーカの取付け構造を示す断面図。
【図５】音波の伝わる方向を説明する断面模式図。
【図６】図４の部分拡大図。
【図１】
0004340414.tif 000002
【図２】
0004340414.tif 000003
【図３】
0004340414.tif 000004
【図４】
0004340414.tif 000005
【図５】
0004340414.tif 000006
【図６】
0004340414.tif 000007